(57)【要約】 【課題】  容器本体を水平面上に置いた際に、容器本体と共に窪み部も傾斜させることができ、上記窪み部の容積が比較的小さくても、窪み部内の保存液が内部圧力により外部に飛び出さないようにすることができるコンタクトレンズ出荷用ブリスターパックを提供する。【解決手段】  半球状の窪み部７と該窪み部７の外側周囲に広がるフランジ部２と支持部３、４とからなる容器本体１０と、窪み部７を開放可能に密封するカバー層５とからなり、容器本体１０を水平面上に置いた際に、容器本体１０が傾斜して支持される。【選択図】    図２
2006016049.tif 000002
【特許請求の範囲】
【請求項１】
半球状の窪み部と該窪み部の外側周囲に広がるフランジ部と支持部とからなる容器本体と、窪み部を開放可能に密封するカバー層とからなり、容器本体を水平面上に置いた際に、容器本体が傾斜して支持されるコンタクトレンズ出荷用ブリスターパック。
【請求項２】
上記支持部を容器本体の両端に設け、上記カバー層を引き剥がす側の支持部の高さを反対側の支持部の高さより高くしてある上記請求項１に記載のコンタクトレンズ出荷用ブリスターパック。
【請求項３】
上記支持部を容器本体の前端に設け、この前端の支持部と上記窪み部とにより容器本体を支持するようにしてある上記請求項１に記載のコンタクトレンズ出荷用ブリスターパック。
【請求項４】
上記支持部を上記フランジ部に対して折曲形状にしてある上記請求項１乃至３のいずれかに記載のコンタクトレンズ出荷用ブリスターパック。
【請求項５】
上記支持部を上記フランジ部に対して湾曲形状にしてある上記請求項１乃至３のいずれかに記載のコンタクトレンズ出荷用ブリスターパック。
【請求項６】
容器本体を水平面上に置いた際の上記容器本体の水平面に対する傾斜角を５〜２０度にしてある上記請求項１乃至５のいずれかに記載のコンタクトレンズ出荷用ブリスターパック。
【発明の詳細な説明】
【技術分野】
【０００１】
本発明は、コンタクトレンズ出荷用ブリスターパックに関するものである。さらに詳しくは、該ブリスターパックのカバー層を開封する際に容器内の保存液が飛び出す事のない、使い捨ての親水性ソフトコンタクトレンズ用の容器に関するものである。
【背景技術】
【０００２】
従来から、使い捨ての親水性ソフトコンタクトレンズの包装にはブリスターパックが用いられている。このブリスターパックは、前記レンズとその保存液を収容する半球状の窪み部とその開口周縁部に広がるフランジ部からなる容器本体と、プラスチックフィルム等を用いたカバー層からなる容器である。また、このブリスターパックは、レンズを取り出してしまうと不要となるものであるが、その開封性や携帯性などに関しては種々の検討がなされている。
【０００３】
初期のコンタクトレンズ用ブリスターパックとして、窪み部１３を底面１４と直立する側面及び底面１４から斜め上方に向かって傾斜した側壁表面１５で構成したものがある(図６参照)。これは、十分な量の保存液が入れられる形状とし、かつ、傾斜した側壁によってレンズの取り出しを容易にしたものである(特許文献１参照)。しかし、この容器は保存液を多量に封入するため、開封時に保存液が零れ易いという問題があった。
【０００４】
また、窪み部に封入する保存液の量はレンズ浸漬に必要な量だけにし、かつ、容器に切り欠き部を設けてカバー層の開封性を向上させた技術が開示されている(特許文献２参照)。これは、窪み部の開口部をレンズ径より大きくし、レンズ取り出しの際には指が挿入できる広さにしている。また、容器本体は平坦な面に置いた際に、容器の水平面が水平のまま維持できる構造として保存液が零れない形状としている。しかし、この容器を手で持って開ける際には依然として保存液が飛び出し易いという問題があった。
【０００５】
さらに、窪み部に封入する保存液の量を少なくし、かつ、開封性を向上させた技術として、窪み部の開口部輪郭に特徴を有する技術が開示されている(特許文献３参照)。これは、容器本体１６のフランジ部１７に長円形の穴１８を設け、カバー層１９を把持し易くしてカバー層１９の引き剥がしを容易にしている(図７参照)。また、フランジ面において、窪み部２０の開口部輪郭２１を水滴形状としてシール部２２の先端２３を、中心線Ａに対して非対称に形成して支持部２４の方向に向けている。また、窪み部２０は皿形の主窪み部２５と先細りする溝形の副窪み部２６で形成され、レンズによって占められていない無駄な容積を小さくすることで保存液の充填量を少なくできる。この技術では、ブリスターパックを平坦な支持体に置いた場合に、容器が傾くのを防止するために支持部２４と２７を設けている(図８参照)。
【０００６】
【特許文献１】特開昭６２−１２２９６９号公報
【特許文献２】特開平６−２９６５１４号公報
【特許文献３】特開平７−３２２９１１号公報
【発明の開示】
【発明が解決しようとする課題】
【０００７】
一般的に、ブリスターパックを開封する際に保存液が飛び出す原因は、カバー層を剥離することで窪み部の内部圧力が開放されるためと考えられ、窪み部の全容積に対して保存液量の割合が多いほど保存液は飛び出し易い事になる。特に、カバー層を剥離する際に窪み部の把持部側近傍に保存液が存在すると、保存液は飛び出し易くなる。この解決方法としては、この把持部近傍側の窪み部には保存液を極力存在させないことが考えられる。
しかし、最近のブリスターパックは容器材料の減量化や携帯性の向上のため、窪み部分の容積を極力小さくする傾向にあり、このタイプの容器でコンタクトレンズを十分に浸漬できる液量を確保するならば、必然的に窪み部の全容積に対する保存液量の割合が大きくなり、従来の技術、例えばカバー層の剥離容易化や窪み部の形状の工夫だけでは、保存液の飛び出しを防止することは困難である。
【０００８】
そこで、本発明は、比較的容積の小さい窪み部を有するブリスターパックであっても、その開封時に窪み部内のコンタクトレンズの保存液が極力外部に飛び出さないようにしてカバー層を開封できるコンタクトレンズ出荷用ブリスターパックを提供する。
【課題を解決するための手段】
【０００９】
本発明は、上記課題を解決すべく、請求項１に記載のように、半球状の窪み部と該窪み部の外側周囲に広がるフランジ部と支持部とからなる容器本体と、窪み部を開放可能に密封するカバー層とからなり、容器本体を水平面上に置いた際に、容器本体が傾斜して支持されるコンタクトレンズ出荷用ブリスターパックを提供する。
【００１０】
本発明は、請求項２に記載のように、請求項１記載のコンタクトレンズ出荷用ブリスターパックであって、上記支持部を容器本体の両端に設け、上記カバー層を引き剥がす側の支持部の高さを反対側の支持部の高さより高くしてあるコンタクトレンズ出荷用ブリスターパックを提供する。
【００１１】
本発明は、請求項３に記載のように、請求項１に記載のコンタクトレンズ出荷用ブリスターパックであって、上記支持部を容器本体の前端に設け、この前端の支持部と上記窪み部とにより容器本体を支持するようにしてあるコンタクトレンズ出荷用ブリスターパックを提供する。
【００１２】
本発明は、請求項４に記載のように、請求項１乃至３のいずれかに記載のコンタクトレンズ出荷用ブリスターパックであって、上記支持部を上記フランジ部に対して折曲形状にしてあるコンタクトレンズ出荷用ブリスターパックを提供する。
【００１３】
本発明は、請求項５に記載のように、請求項１乃至３のいずれかに記載のコンタクトレンズ出荷用ブリスターパックであって、上記支持部を上記フランジ部に対して湾曲形状にしてあるコンタクトレンズ出荷用ブリスターパックを提供する。
【００１４】
本発明は、請求項６に記載のように、請求項１乃至５のいずれかに記載のコンタクトレンズ出荷用ブリスターパックであって、容器本体を水平面上に置いた際の上記容器本体の水平面に対する傾斜角を５〜２０度にしてあるコンタクトレンズ出荷用ブリスターパックを提供する。
【発明の効果】
【００１５】
本発明に係るコンタクトレンズ出荷用ブリスターパックは、請求項１に記載のように、半球状の窪み部と該窪み部の外側周囲に広がるフランジ部と支持部とからなる容器本体と、窪み部を開放可能に密封するカバー層とからなり、容器本体を水平面上に置いた際に、容器本体が傾斜して支持される構成を有するから、容器本体を水平面上に置いた際に、容器本体と共に窪み部も傾斜させることができ、該窪み部にコンタクトレンズの保存液を含んでいる場合、窪み部の全容積から保存液の占める容積を除去した空間、すなわち、窪み部内に存在する空気部分を、傾斜した窪み部内の高い方に集中させ、この空気部分が集中した側からカバー層を剥離することで、上記窪み部の容積が比較的小さくても、窪み部内の保存液が内部圧力により外部に飛び出さないようにすることができる効果がある。
【００１６】
本発明は、請求項２に記載のように、請求項１に記載のコンタクトレンズ出荷用ブリスターパックであって、上記支持部を容器本体の両端に設け、上記カバー層を引き剥がす側の支持部の高さを反対側の支持部の高さより高くしてある構成を有するから、容器本体と共に窪み部を確実に傾斜させることができる効果がある。
【００１７】
本発明は、請求項３に記載のように、請求項１に記載のコンタクトレンズ出荷用ブリスターパックであって、上記支持部を容器本体の前端に設け、この前端の支持部と上記窪み部とにより容器本体を支持するようにしてある構成を有するから、容器本体を上記支持部と窪み部により支持することができ、支持部で容器本体を支持する容器と比較して支持部に必要な材料のコストを低減することができ、ブリスターパック全体の重量を低減すると共に、容器本体を小嵩にして携帯性を向上させることもできる効果がある。
【００１８】
本発明は、請求項４に記載のように、請求項１乃至３のいずれかに記載のコンタクトレンズ出荷用ブリスターパックであって、上記支持部を上記フランジ部に対して折曲形状にしてある構成を有するから、この折曲した部分からカバー層を容易に剥離できる効果がある。
【００１９】
本発明は、請求項５に記載のように、請求項１乃至３のいずれかに記載のコンタクトレンズ出荷用ブリスターパックであって、上記支持部を上記フランジ部に対して湾曲形状にしてある構成を有するから、容器全体の形状が流線形になり、より見栄えを良くできる効果がある。
【００２０】
本発明は、請求項６に記載のように、請求項１乃至５のいずれかに記載のコンタクトレンズ出荷用ブリスターパックであって、容器本体を水平面上に置いた際の上記容器本体の水平面に対する傾斜角を５〜２０度にしてある構成を有するから、窪み部にコンタクトレンズの保存液を含んでいる場合、窪み部の全容積から保存液の占める容積を除去した空間、すなわち、窪み部内に存在する空気部分を、水平面に対して５〜２０度の範囲で傾斜した窪み部内の高い方に集中させ、この空気部分が集中した側からカバー層を剥離することで窪み部内の保存液が内部圧力により外部に飛び出すことを確実に防止することができる効果がある。
【発明を実施するための最良の形態】
【００２１】
本発明に係るコンタクトレンズ出荷用ブリスターパックを図によって説明する。
図１は、本発明の実施形態におけるコンタクトレンズ出荷用ブリスターパックの正面図である。
図２と図４は、図１に示すコンタクトレンズ出荷用ブリスターパックのａ-ｂ線断面図であり、本発明コンタクトレンズ出荷用ブリスターパックの基本的な２つの実施例を示してある。
図３と図５は、図１に示すコンタクトレンズ出荷用ブリスターパックのａ-ｂ線断面図であり、本発明コンタクトレンズ出荷用ブリスターパックの変形的な２つの実施例を示してある。
【００２２】
図２と図４に示す符号１は、コンタクトレンズ８と保存液１１を収納する半球状の窪み部７と該窪み部７の外側周囲に広がるフランジ部２と該フランジ部２を支持する支持部３、４とからなる容器本体１０と、窪み部７を開放可能に密封するカバー層５とから構成されるコンタクトレンズ出荷用ブリスターパックであり、上記支持部３、４は、容器本体１０の両端にそれぞれ設けてあり、支持部３の高さＨは、支持部４の高さｈよりも高く設定してあり、容器本体１０を水平面２８上に載置した際に、容器本体１０が傾斜して支持されるように構成してある。
図２に示す支持部３、４は、フランジ部２に対して折曲形状にしてあり、図４に示す支持部３は、フランジ部２に対して湾曲形状にしてある。
【００２３】
図３と図５に示す符号１は、コンタクトレンズ８と保存液１１を収納する半球状の窪み部７と該窪み部７の外側周囲に広がるフランジ部２と該フランジ部２を支持する支持部３とからなる容器本体１０と、窪み部７を開放可能に密封するカバー層５とから構成されるコンタクトレンズ出荷用ブリスターパックであり、上記支持部３は、容器本体１０の前端に設けてあり、支持部３の高さＨは、窪み部７の水平面２８との接地部９からフランジ部２の平面ａまでの高さｈよりも高く設定してあり、容器本体１０を水平面２８上に載置した際に、容器本体１０を支持部３と窪み部７により傾斜して支持するように構成してある。
図３に示す支持部３は、フランジ部２に対して折曲形状にしてあり、図５に示す支持部３は、フランジ部２に対して湾曲形状にしてある。
【００２４】
図２乃至図５に記載する容器本体１０は、水平面２８上に載置した際に、容器本体１０は傾斜して支持され、その傾斜角度は、図示するように水平面２９とフランジ部２の平面とのなす角αで表現することができ、この傾斜角αを、５〜２０度に設定した際に、水平面２８に載置された容器本体１０の窪み部７内の空気部分６を、窪み部７内の高い方、即ち、支持部３側に集中させることができ、容器本体１０からカバー層５を剥離する際に、窪み部７内のコンタクトレンズ８の保存液１１が外部に飛び出すことを極力防止できる。
【００２５】
特に、傾斜角αを８〜１５度に設定した際には、窪み部７内の空気部分６を常に支持部３側に位置させることができ、容器本体１０からカバー層５を剥離する際に、窪み部７内のコンタクトレンズ８の保存液１１が外部に飛び出すことを確実に防止できる。
なお、傾斜角αが、５度未満の場合では、空気部分６を窪み部７の支持部３側に集中させることが困難であり、また、傾斜角αが２０度を越える場合では、水平面２８上に載置した状態で、容器本体１０からカバー層５を完全に剥離すると、支持部４側の窪み部７内から保存液１１が外部に流出する恐れがあり適当ではない。
【００２６】
図示しない実施例で、容器本体１０を水平面２８上に載置した際に、カバー層５を引き剥がす側の支持部３の高さを反対側の支持部４の高さより高くして、容器本体１０を上記傾斜角αで傾斜させて支持することが可能であれば、上記実施例以外の容器本体の形状であってもよい。
また、図示しない実施例で、本発明のブリスターパック１を手で持った状態で、窪み部７から保存液１１を溢さないように、カバー層５を容器本体１０から剥離し、コンタクトレンズ８を取り出すことも勿論可能である。
【００２７】
図１乃至図５に記載する、コンタクト出荷用ブリスターパック１の容器本体１０は、ポリオレフィン系に代表されるプラスチックを用いれば容易に成型することができる。
また、図２乃至図５に記載する、カバー層５は、ガスバリヤ性の高いフィルム、例えば、アルミニウムフィルム、プラスチックフィルム等を単独または多層フィルムとして用いればよい。このカバー層５は、フランジ部２及び支持部３の表面を覆うように、フランジ部２に封着してある。
図２乃至図５に記載する符号１２は、容器本体１０からカバー層５を剥離する際に、カバー層５を把持するための把持部である。
【図面の簡単な説明】
【００２８】
【図１】本発明に係るコンタクトレンズ出荷用ブリスターパックの実施例を示す概略正面図。
【図２】その実施例の図１におけるａ-ｂ線概略断面図
【図３】本発明コンタクトレンズ出荷用ブリスターパックの他の実施例を示す図１におけるａ-ｂ線概略断面図
【図４】本発明コンタクトレンズ出荷用ブリスターパックの他の実施例を示す図１におけるａ-ｂ線概略断面図
【図５】本発明コンタクトレンズ出荷用ブリスターパックの他の実施例を示す図１におけるａ-ｂ線概略断面図
【図６】従来のブリスターパックの概略断面図
【図７】従来のブリスターパックの概略正面図
【図８】従来のブリスターパックの概略側面図
【符号の説明】
【００２９】
１    コンタクトレンズ出荷用ブリスターパック
２    フランジ部
３    支持部
４    支持部
５    カバー層
６    空気部分
７    窪み部
８    コンタクトレンズ
９    接地部
１０  容器本体
１１  保存液
１２  把持部
２８  水平面
２９  水平面
【図１】
2006016049.tif 000003
【図２】
2006016049.tif 000004
【図３】
2006016049.tif 000005
【図４】
2006016049.tif 000006
【図５】
2006016049.tif 000007
【図６】
2006016049.tif 000008
【図７】
2006016049.tif 000009
【図８】
2006016049.tif 000010